(57)【要約】【課題】液晶表示装置の視認性を向上させることができるとともにタッチパネルに対する複数点の同時入力を適切に行うことができる「入力装置」を提供すること。【解決手段】マトリクス電極２３が形成されたタッチパネル１３をカラーフィルタ基板１４に組み込むとともに、判定手段３３により、複数点の同時入力が行われた場合における入力位置の判定を、信号発信手段３４から発信されてユーザの人体を介してマトリクス電極２３に入力された電気信号に基づいて行うこと。【選択図】図１
2010117972.tif 000002
【特許請求の範囲】
【請求項１】
複数個のカラーフィルタがＸＹ方向に所定の間隔を設けて形成されたカラーフィルタ基板およびこのカラーフィルタ基板に液晶層を隔てて対向する対向基板を有する液晶表示装置によって表示される操作画面の操作のための位置入力が可能とされたタッチパネルを備えた入力装置であって、
前記タッチパネルの使用状態においてユーザに接触する所定の物体に配設され、電気信号を発信可能とされた信号発信手段を備え、
前記タッチパネルは、
前記カラーフィルタ基板における前記複数個のカラーフィルタ同士の間の間隙部にマトリクス状に形成されたマトリクス電極と、
前記マトリクス電極に接続され、前記信号発信手段から発信されてユーザの人体を介して前記マトリクス電極に入力された前記電気信号に基づいて前記タッチパネルにおけるユーザの入力位置を判定する判定手段と
を備えたことを特徴とする入力装置。
【請求項２】
前記マトリクス電極は、前記複数個のカラーフィルタ間を遮光する遮光膜の形成領域に形成されていること
を特徴とする請求項１に記載の入力装置。
【請求項３】
前記マトリクス電極は、アルミ電極とされていること
を特徴とする請求項１または請求項２に記載の入力装置。
【請求項４】
車両に搭載されること
を特徴とする請求項１乃至請求項３のいずれか１項に記載の入力装置。
【請求項５】
前記所定の物体は、前記車両の座席部とされていること
を特徴とする請求項４に記載の入力装置。
【請求項６】
前記信号発信手段を複数個備え、これら複数個の信号発信手段は、互いに異なる内容の電気信号を発信するとともに互いに異なるユーザに接触可能とされ、
前記判定手段は、前記複数個の信号発信手段が複数人のユーザにそれぞれ接触された状態において、前記入力位置の判定を行う際に、前記マトリクス電極に入力される前記電気信号の内容に基づいて前記位置入力を行っているユーザの判定をも行うように形成されていること
を特徴とする請求項１乃至請求項５のいずれか１項に記載の入力装置。
【請求項７】
前記液晶表示装置は、その表示領域を目視可能な互いに異なる複数の方向にそれぞれ対応する複数個の前記操作画面を、各方向から個別に視認可能な状態として表示可能に形成されていること
を特徴とする請求項６に記載の入力装置。
【発明の詳細な説明】
【技術分野】
【０００１】
本発明は、入力装置に係り、特に、タッチパネルを備えた液晶表示装置用の入力装置に関する。
【背景技術】
【０００２】
従来から、液晶表示装置（ＬＣＤ：liquid crystal display）に対する入力手段として、ユーザが手指やペン等の操作体を接触させることによって液晶表示装置に絶対座標を入力するタッチパネルが用いられていた。
【０００３】
図５は、この種の液晶表示装置に用いられるタッチパネルの従来例として、抵抗膜方式のタッチパネル１を示したものである。
【０００４】
図５に示すように、タッチパネル１は、液晶表示装置における液晶表示パネル２に対する表面側（図５における上側）の近傍位置に、空気層３を隔てて液晶表示パネル２に対して平行に配置されている。
【０００５】
また、図５に示すように、タッチパネル１は、液晶表示パネル２の表面に臨むベースガラス４と、このベースガラス４の表面側に空気層５を隔てて対向配置された表面ガラス７とを有している。
【０００６】
さらに、ベースガラス４の表面には、Ｙ方向（図５における紙面垂直方向）に長尺とされたＩＴＯ（酸化インジウムスズ）からなる複数本の透明電極（以下、下側透明電極と称する）８が、Ｘ方向（図５における横方向）に所定の間隔を設けるようにして整列形成されている。
【０００７】
さらにまた、表面ガラス７の裏面（図５における下面）には、Ｘ方向に長尺とされたＩＴＯからなる複数本の透明電極（以下、上側透明電極と称する）９が、Ｙ方向に所定の間隔を設けるようにして整列形成されている。
【０００８】
そして、このような構成を有するタッチパネル１に対して、ユーザが、表面ガラス７上の一点を押圧すると、この一点に対応する表面ガラス７の部分が、この部分に形成された上側透明電極９とともにベースガラス４側に撓むことによって、この撓んだ部分の上側透明電極９が、下側透明電極８に接触することになる。
【０００９】
そして、このようにして互いに接触された両透明電極８，９の電気抵抗の変化が検出されることによって、タッチパネル１におけるユーザの入力位置のＸ座標およびＹ座標を割り出し、この割り出した座標に対応する座標データが液晶表示装置に入力されるようにようになっていた。
【００１０】
【特許文献１】特開平６−２３０８８４号公報
【特許文献２】特開２０００−１０５６７０号公報
【発明の開示】
【発明が解決しようとする課題】
【００１１】
しかしながら、図５に示したタッチパネル１は、まず、第１に、液晶表示装置の視認性を悪化させるといった問題点を有していた。
【００１２】
すなわち、図６に示すように、図５に示した構成においては、表面ガラス７と液晶表示パネル２との間に、２層の空気層３，５が介在されていたため、屈折率が異なる媒体同士の界面における光反射の回数が多かった。
【００１３】
具体的には、図６に示すように、タッチパネル１の表面ガラス７に表面側から入射した光（入射光）は、その一部が表面ガラス７の表面において反射光として反射され、残りの光が表面ガラス７の裏面に到達する。次いで、当該表面ガラス７の裏面に到達した光は、その一部が表面ガラス７の裏面において反射され、残りの光が空気層５を経てベースガラス４の表面に入射する。次いで、当該ベースガラス４の表面に入射した光は、その一部がベースガラス４の表面において反射され、残りの光がベースガラス４の裏面に到達する。次いで、当該ベースガラス４の裏面に到達した光は、その一部がベースガラス４の裏面において反射され、残りの光が空気層３を経て液晶表示パネル２の表面に到達する。そして、この液晶表示パネル２の表面に到達した光は、その一部が液晶表示パネル２の表面において反射される。
【００１４】
このように、図５に示した構成においては、２層の空気層３，５が原因となって光反射の回数が多くなることによって、タッチパネル１の表面から出射される反射光の光量が大きく（入射光全体の光量に対して約１５％）なり、特に昼間における液晶表示装置の視認性が悪化してしまっていた。
【００１５】
さらに、図５に示したタッチパネル１は、第２に、複数点の同時入力が行われた場合における入力位置の適切な判定が不可能であるといった問題点を有していた。
【００１６】
すなわち、図７に示すように、図５に示したタッチパネル１における表面ガラス７上の２点として、図７に示すＡ点（Ｘ１，Ｙ１）とＢ点（Ｘ２，Ｙ２）とを同時に押圧した場合には、Ａ点とＢ点との中間点であるＣ点（（Ｘ１＋Ｘ２）／２，（Ｙ１＋Ｙ２）／２）が入力位置であると判定されてしまっていた。
【００１７】
そこで、本発明は、このような問題点に鑑みなされたものであり、液晶表示装置の視認性を向上させることができるとともにタッチパネルに対する複数点の同時入力を適切に行うことができる入力装置を提供することを目的とするものである。
【課題を解決するための手段】
【００１８】
前述した目的を達成するため、本発明に係る入力装置は、複数個のカラーフィルタがＸＹ方向に所定の間隔を設けて形成されたカラーフィルタ基板およびこのカラーフィルタ基板に液晶層を隔てて対向する対向基板を有する液晶表示装置によって表示される操作画面の操作のための位置入力が可能とされたタッチパネルを備えた入力装置であって、前記タッチパネルの使用状態においてユーザに接触する所定の物体に配設され、電気信号を発信可能とされた信号発信手段を備え、前記タッチパネルは、前記カラーフィルタ基板における前記複数個のカラーフィルタ同士の間の間隙部にマトリクス状に形成されたマトリクス電極と、前記マトリクス電極に接続され、前記信号発信手段から発信されてユーザの人体を介して前記マトリクス電極に入力された前記電気信号に基づいて前記タッチパネルにおけるユーザの入力位置を判定する判定手段とを備えたことを特徴としている。
【００１９】
そして、このような構成によれば、タッチパネルをカラーフィルタ基板に組み込むことにより、外部から液晶表示装置に入射した光の反射の回数を少なくして液晶表示装置の視認性を向上させることができ、また、判定手段により、複数点の同時入力が行われた場合における入力位置の判定を、信号発信手段から発信されてユーザの人体を介してマトリクス電極に入力された電気信号に基づいて簡便かつ適切に行うことができる。
【００２０】
また、前記マトリクス電極は、前記複数個のカラーフィルタ間を遮光する遮光膜の形成領域に形成されていてもよい。
【００２１】
そして、このような構成によれば、液晶表示装置の視認性に悪影響を与えない領域にマトリクス電極を形成することができるので、液晶表示装置の視認性をさらに向上させることができる。
【００２２】
さらに、前記マトリクス電極は、アルミ電極とされていてもよい。
【００２３】
そして、このような構成によれば、マトリクス電極を安価に形成することができる。
【００２４】
さらにまた、車両に搭載されてもよい。
【００２５】
そして、このような構成によれば、車載用の液晶表示装置に用いる場合においても、液晶表示装置の視認性の向上およびタッチパネルに対する複数点の適切な同時入力が可能となる。
【００２６】
また、前記所定の物体は、前記車両の座席部とされていてもよい。
【００２７】
そして、このような構成によれば、車内におけるタッチパネルの使用状態においてユーザが必然的に接触する物体に信号発信手段を設けることができるので、タッチパネルにおける入力位置をさらに確実に判定することができる。
【００２８】
さらに、前記信号発信手段を複数個備え、これら複数個の信号発信手段は、互いに異なる内容の電気信号を発信するとともに互いに異なるユーザに接触可能とされ、前記判定手段は、前記複数個の信号発信手段が複数人のユーザにそれぞれ接触された状態において、前記入力位置の判定を行う際に、前記マトリクス電極に入力される前記電気信号の内容に基づいて前記位置入力を行っているユーザの判定をも行うように形成されていてもよい。
【００２９】
そして、このような構成によれば、タッチパネルに対する複数点の同時入力が複数人のユーザによって行われた場合においても、これら複数点の入力位置を複数人のユーザのそれぞれに対応するものとして適切に判定することができる。
【００３０】
さらに、前記液晶表示装置は、その表示領域を目視可能な互いに異なる複数の方向にそれぞれ対応する複数個の前記操作画面を、各方向から個別に視認可能な状態として表示可能に形成されていてもよい。
【００３１】
そして、このような構成によれば、複数人のユーザがそれぞれに対応した操作画面を適切に操作することができる。
【発明の効果】
【００３２】
本発明によれば、液晶表示装置の視認性を向上させることができるとともに複数点の同時入力を適切に行うことができる。
【発明を実施するための最良の形態】
【００３３】
以下、本発明に係る入力装置の実施形態について、図１乃至図４を参照して説明する。
【００３４】
図１に示すように、本実施形態における入力装置１１は、車載用の液晶表示装置における液晶表示パネル１２と一体をなすタッチパネル１３を有している。
【００３５】
より具体的には、液晶表示パネル１２は、カラーフィルタ基板１４と、このカラーフィルタ基板１４に液晶層１６を隔てて対向する対向基板としてのＴＦＴ基板１５とを有しており、タッチパネル１３は、このカラーフィルタ基板１４に組み込まれている。
【００３６】
なお、カラーフィルタ基板１４とＴＦＴ基板１５とは、両基板１４，１５の外周縁部に配置された図示しない枠状のシール材を介して互いに貼り合わされている。また、カラーフィルタ基板１４とＴＦＴ基板１５とは、液晶層１６に配置された図示しないスペーサを介して両基板１４，１５間の間隙が保持されている。
【００３７】
さらに詳述すると、図１および図２に示すように、カラーフィルタ基板１４は、ガラス等からなる透明基板１８における液晶層１６側の表面上に、ＲＧＢの３色の着色層１９からなる複数個のカラーフィルタ２０を有しており、これら複数個のカラーフィルタ２０は、Ｘ方向およびＹ方向に所定の間隔を設けて形成されている。
【００３８】
また、各カラーフィルタ２０の間には、各カラーフィルタ２０間を遮光する遮光膜としてのブラックマスク２１が形成されている。
【００３９】
そして、図２に示すように、透明基板１８の液晶層１６側の表面上における前述した複数個のカラーフィルタ２０同士の間の間隙部であって、ブラックマスク２１の形成領域上には、マトリクス状（換言すれば網目状）のマトリクス電極２３が形成されており、このマトリクス電極２３は、透明基板１８とともにタッチパネル１３を構成するようになっている。
【００４０】
図２および図３に示すように、マトリクス電極２３は、Ｘ方向に長尺な複数本のＸ方向電極部２４と、Ｙ方向に長尺な複数本のＹ方向電極部２５とを有しており、両電極部２４，２５は、交差部２６において絶縁体を介して交差（直交）するように形成されている。
【００４１】
このようなマトリクス電極２３におけるＸ方向電極部２４は、ユーザがタッチパネル１３に対する後述する位置入力を行った際に、入力位置におけるＹ座標の判定に用いられるようになっている。また、Ｙ方向電極部２５は、ユーザがタッチパネル１３に対する位置入力を行った際に、入力位置におけるＸ座標の判定に用いられるようになっている。
【００４２】
なお、図２においては、Ｘ方向電極部２４がＹ方向に沿って１個分のカラーフィルタ２０を経るごとに形成されており、Ｙ方向電極部２５がＸ方向に沿って１個分のカラーフィルタ２０を経るごとにされているが、本発明は、このような構成に限定されるものではなく、例えば、Ｘ方向電極部２４をＹ方向に沿って複数個（例えば２〜３個）のカラーフィルタ２０を経るごとに形成し、Ｙ方向電極部２５をＸ方向に沿って複数個（例えば２〜３個）のカラーフィルタ２０を経るごとに形成してもよい。
【００４３】
さらに、図３に示すように、各Ｘ方向電極部２４のＸ方向における端部（図３における右端部）には、第１のデマルチプレクサ２８が接続されており、この第１のデマルチプレクサ２８には、第１のアンプ２９が接続されている。
【００４４】
さらにまた、図３に示すように、各Ｙ方向電極部２５のＹ方向における端部（図３における下端部）には、第２のデマルチプレクサ３０が接続されており、この第２のデマルチプレクサ３０には、第２のアンプ３１が接続されている。
【００４５】
そして、マトリクス電極２３には、デマルチプレクサ２８，３０およびアンプ２９，３１を介してコントローラ３３が接続されている。これらデマルチプレクサ２８，３０、アンプ２９，３１およびコントローラ３３は、マトリクス電極２３および透明基板１８とともにタッチパネル１３を構成している。
【００４６】
また、図４に示すように、本実施形態における入力装置１１は、信号発信手段として、タッチパネル１３の使用状態（換言すれば、位置入力が行われている状態）においてユーザに接触する所定の物体としての車両の座席部３５に配設された信号発信部３４を有しており、この信号発信部３４は、微弱な電気信号を発信可能とされている。
【００４７】
なお、図４において、信号発信部３４は、座席部３５におけるシートベルト３５ａに配設されているが、本発明はこのような構成に限定されるものではなく、例えば、座席部３５における座面や背もたれに信号発信部３４を配設するようにしてもよい。
【００４８】
また、信号発信部３４によって発信される電気信号は、アナログ信号（例えば、所定の周波数を有する交流電流）あってもよく、または、デジタル信号（パルス電流）であってもよい。
【００４９】
なお、図３に示すように、本実施形態における信号発信部３４は、コントローラ３３に接続されており、このコントローラ３３から供給される電力によって駆動されるようになっている。また、本実施形態において、コントローラ３３を含めた入力装置１１全体は、液晶表示装置とともに車両のバッテリを電源として駆動されるようになっている。
【００５０】
そして、本実施形態においては、ユーザが、座席部３５に着席してシートベルト３５ａを装着した状態において、カラーフィルタ基板１４の表面（図１における上面）に手指を触れることによってタッチパネル１３に対する位置入力を行うと、信号発信部３４から発信された電気信号がユーザの人体を介してマトリクス電極２３に入力されるようになっている。
【００５１】
また、本実施形態において、コントローラ３３は、第１のデマルチプレクサ２８を介してＸ方向電極部２４を所定時間ごとに順次スキャンすることによってＸ方向電極部２４への電気信号の入力状態を監視するとともに、第２のデマルチプレクサ３０を介してＹ方向電極部２５を所定時間ごとに順次スキャンすることによって、Ｙ方向電極部２５への電気信号の入力状態を監視するようになっている。
【００５２】
このとき、Ｘ方向電極部２４に入力されて第１のデマルチプレクサ２８に流れた電気信号は、第１のアンプ２９によって信号値が増幅された上でコントローラ３３に入力されるようになっている。また、Ｙ方向電極部２５に入力されて第２のデマルチプレクサ３０に流れた電気信号は、第２のアンプ３１によって信号値が増幅された上でコントローラ３３に入力されるようになっている。
【００５３】
そして、コントローラ３３は、判定手段として機能し、Ｙ方向電極部２５に入力された電気信号に基づいて、ユーザの入力位置におけるＸ座標を判定するようになっている。また、コントローラ３３は、Ｘ方向電極部２４に入力された電気信号に基づいて、ユーザの入力位置におけるＹ座標を判定するようになっている。
【００５４】
このとき、コントローラ３３は、電気信号の入力量が閾値以上となるＹ方向電極部２５に対応するＸ座標を、入力位置におけるＸ座標と判定し、電気信号の入力量が閾値以上となるＸ方向電極部２４に対応するＹ座標を、入力位置におけるＹ座標と判定するようにしてもよい。このような判定は、一点のみの位置入力が行われた場合のみならず、複数点の同時入力が行われた場合にも適用することができる。
【００５５】
このようにしてユーザの入力位置の判定を行ったコントローラ３３は、判定された入力位置に対応するＸＹ座標データを生成し、生成されたＹＹ座標データを液晶表示装置におけるＸＹ座標データの入力回路（図示せず）に入力するようになっている。
【００５６】
この他にも、図示はしないが、液晶表示装置は、カラーフィルタ２０上に形成されたＩＴＯ等からなる液晶駆動用の電極、この電極上に形成された配向膜および透明基板１８の外側に必要に応じて配置される偏光板等の構成部を備えている。また、図示はしないが、液晶表示装置は、ＴＦＴ基板１５におけるガラス等からなる透明基板３６の液晶層１６側の表面上に、マトリクス状に配置されたＩＴＯ等からなる複数個の液晶駆動用の画素電極を有しており、各画素電極は、ＴＦＴ（thin film transistor）によって液晶駆動用ドライバからの通電が制御されるようになっている。このＴＦＴ基板１５にも、配向膜や偏光板等の構成部が設けられている。
【００５７】
このような液晶表示装置は、液晶駆動用ドライバによって所定の表示情報にしたがって両基板１４，１５の液晶駆動用の電極間に電圧を印加して液晶層１６の液晶分子の配列を変化させることにより、カラーフィルタ基板１４の表面（前面）における表示領域に所定の画面を表示するようになっている。このとき表示される画面は、操作対象を操作するための操作画面（例えば、メニュー画面）の場合もある。なお、操作対象としては、液晶表示装置に備えられたナビゲーション装置としての機能、ＤＶＤ再生装置としての機能、テレビ／ラジオ受信機としての機能またはオーディオプレイヤとしての機能等を挙げることができる。これらの機能は、液晶表示装置に内蔵または外部接続された図示しないメモリに記憶されたアプリケーションソフト等のプログラムの実行によって実現されるようになっている。
【００５８】
そして、液晶表示装置は、操作画面を表示した状態において、タッチパネル１３から操作画面の操作のための位置入力の結果を示すＸＹ座標データが入力された場合には、この入力されたＸＹ座標データに対応する操作画面の操作内容にしたがって操作対象の操作を行うようになっている。
【００５９】
したがって、本実施形態によれば、タッチパネル１３をカラーフィルタ基板１４に組み込むことにより、外部から液晶表示装置に入射した光の反射の回数を少なくして液晶表示装置の視認性を向上させることができる。また、コントローラ３３により、複数点の同時入力が行われた場合における入力位置の判定を、信号発信部３４から発信されてユーザの人体を介してマトリクス電極２３に入力された電気信号に基づいて簡便かつ適切に行うことができる。
【００６０】
なお、マトリクス電極２３は、アルミによって安価に形成するようにしてもよい。
【００６１】
また、本実施形態の変形例としては、運転席と助手席との双方の座席部３５における運転者、助手席者にそれぞれ接触可能な部位（例えば、シートベルト）に、発信される電気信号の内容が互いに異なるような２種類の信号発信部３４をそれぞれ配設することが考えられる。
【００６２】
そして、このような場合には、コントローラ３３が、運転席側および助手席側のそれぞれの信号発信部３４が運転者、助手席者にそれぞれ接触された状態におけるタッチパネル１３への位置入力が行われた場合に、入力位置の判定とともに、マトリクス電極２３に入力される電気信号の内容に基づいて、位置入力を行っているユーザが運転者または助手席者のいずれであるかの判定をも行うようにする。
【００６３】
ここで、運転席側の信号発信部３４と助手席側の信号発信部３４との間で互いに異ならせる電気信号の内容としては、電気信号がアナログ信号の場合における周波数や、電気信号がデジタル信号の場合におけるコードの内容等を採用することができる。
【００６４】
そして、このように構成すれば、タッチパネル１３に対する複数点の同時入力が運転者と助手席者との２人のユーザによって行われた場合においても、これら複数点の入力位置を各ユーザのそれぞれに対応するものとして適切に判定することができる。
【００６５】
さらに、このようなタッチパネル１３の操作者の判定をともなう入力位置の判定を行う場合における具体的な適用例としては、液晶表示装置として、その表示領域を目視可能な方向としての運転席側からの表示領域の目視方向と助手席側からの表示領域の目視方向とにそれぞれ対応する２つの操作画面を、各目視方向から個別に視認可能な状態として表示する場合が考えられる。
【００６６】
すなわち、このような場合には、コントローラ３３が、タッチパネル１３に対する位置入力が行われた際に、運転席側の信号発信部３４から発信された電気信号を検出した場合に、運転者からの位置入力が行われたと判定し、助手席側の信号発信部３４から発信された電気信号を検出した場合に、助手席者からの位置入力が行われたと判定するようにする。
【００６７】
そして、コントローラ３３が、運転者からの位置入力に対応するＸＹ座標データを液晶表示装置におけるＸＹ座標データの入力回路に入力する際に、このＸＹ座標データが運転者からの位置入力であることを液晶表示装置側で識別可能な状態として入力するようにする。同様に、コントローラ３３が、助手席者からの位置入力に対応するＸＹ座標データを液晶表示装置におけるＸＹ座標データの入力回路に入力する際に、このＸＹ座標データが助手席者からの位置入力であることを液晶表示装置側で識別可能な状態として入力するようにする。この場合に、運転席側と助手席側とで互いに異なる識別情報をＸＹ座標データに付加するようにしてもよい。
【００６８】
このようにな適用例によれば、液晶表示装置側で、例えば、助手席側に向けて表示されているＤＶＤ再生用の操作画面に対して誤って運転者からの入力操作が行われる場合に、この操作を無効とすることによって誤操作を回避することが可能となる。同様に、運転席側に向けて表示されているナビゲーション用の操作画面に対して誤って助手席者からの入力操作が行われる場合に、この操作を無効とすることによって誤操作を回避することができる。
【００６９】
次に、本実施形態の主たる作用について説明する。
【００７０】
なお、便宜上、初期状態においては、ユーザが、運転席の座席部３５に着席してシートベルト３５ａを装着することによってシートベルト３５ａに設けられた信号発信部３４に接触しているとともに、車両のバッテリによって液晶表示装置、タッチパネル１３および信号発信部３４が駆動されていて、液晶表示装置によって表示領域に操作画面が表示されているものとする。
【００７１】
そして、初期状態から、ユーザが、カラーフィルタ基板１４の表面における操作画面中の操作許容位置（例えば、操作ボタンが表示された位置）に対応する位置に手指を触れると、信号発信部３４から発信されている電気信号が、ユーザの人体を介してユーザの指先からマトリクス電極２３に入力される。
【００７２】
このとき、マトリクス電極２３におけるユーザの指先に最も近い部位には、電気信号が閾値以上の入力量で入力されることになる。また、このとき、ユーザが、操作画面中の複数箇所の操作許容位置に対応する位置に同時に触れた場合も、各位置から電気信号がマトリクス電極２３に入力されることになる。
【００７３】
次いで、マトリクス電極２３におけるＸ方向電極部２４に入力された電気信号は、第１のデマルチプレクサ２８を経て第１のアンプ２９によって信号値が増幅された上でコントローラ３３に入力される。
【００７４】
また、このとき、マトリクス電極２３におけるＹ方向電極部２５に入力された電気信号は、第２のデマルチプレクサ３０を経て第２のアンプ３０によって信号値が増幅された上でコントローラ３３に入力される。
【００７５】
次いで、コントローラ３３は、Ｙ方向電極部２５から入力された電気信号に基づいて、ユーザの入力位置におけるＸ座標を判定する。このとき、コントローラ３３は、電気信号の入力量が閾値以上となったＹ方向電極部２５が複数本あった場合には、各Ｙ方向電極部２５にそれぞれ対応するＸ座標を、複数点の同時入力がなされた場合の各入力位置におけるＸ座標であると判定してもよい。ただし、そのような閾値以上の電気信号が入力されたＹ方向電極部２５が互いに隣位するような関係にある場合には、各Ｙ方向電極部２５の形成ピッチにもよるが、一点の位置入力が互いに隣位するＹ方向電極部２５によって検出されたと考えることが妥当な場合がある。したがって、そのような場合には、これらの互いに隣位するＹ方向電極部２５にぞれぞれ対応するＸ座標の平均座標位置を、入力位置におけるＸ座標と判定するようにしてもよい。
【００７６】
また、このとき、コントローラ３３は、Ｘ方向電極部２４から入力された電気信号に基づいて、ユーザの入力位置におけるＹ座標を判定する。このとき、コントローラ３３は、電気信号の入力量が閾値以上となったＸ方向電極部２４が複数本あった場合には、各Ｘ方向電極部２４にそれぞれ対応するＹ座標を、複数点の同時入力がなされた場合の各入力位置におけるＹ座標であると判定してもよい。ただし、そのような閾値以上の電気信号が入力されたＸ方向電極部２４が互いに隣位するような関係にある場合には、各Ｘ方向電極部２４の形成ピッチにもよるが、一点の位置入力が互いに隣位するＸ方向電極部２４によって検出されたと考えることが妥当な場合がある。したがって、このような場合には、これらの互いに隣位するＸ方向電極部２４にぞれぞれ対応するＹ座標の平均座標位置を、入力位置におけるＹ座標と判定するようにしてもよい。
【００７７】
次いで、コントローラ３３は、判定された入力位置に対応するＸＹ座標データを生成し、生成されたＸＹ座標データを液晶表示装置におけるＸＹ座標データの入力回路に入力する。
【００７８】
そして、液晶表示装置は、入力回路に入力されたＸＹ座標データに対応する操作画面の操作内容にしたがった操作対象の操作を行う。
【００７９】
以上述べたように、本実施形態によれば、液晶表示装置の視認性を向上させることができるとともにタッチパネル１３に対する複数点の同時入力を適切に行うことができる。
【００８０】
なお、本発明は、前述した実施の形態に限定されるものではなく、必要に応じて種々の変更が可能である。
【００８１】
例えば、信号発信部３４は、必ずしもコントローラ３３に接続されたものに限る必要はなく、例えば、ユーザが着用している衣服のポケットに収容されている携帯電話機のようなユーザが接触しているユーザの所持物を信号発信部３４として利用するようにしてもよい。ただし、この場合には、コントローラ３３側で、ユーザの所持物が発生する電気信号を認識しておき、他の物体から発信された電気信号との誤認識を防止することが必要である。
【図面の簡単な説明】
【００８２】
【図１】本発明に係る入力装置の実施形態において、タッチパネルの配置位置を説明するための説明図
【図２】本発明に係る入力装置の実施形態において、マトリクス電極を示す図
【図３】本発明に係る入力装置の実施形態を示す全体構成図
【図４】本発明に係る入力装置の実施形態において、信号発信部の配置位置を説明するための説明図
【図５】従来のタッチパネルの一例を示す構成図
【図６】従来のタッチパネルの第１の問題点を説明するための説明図
【図７】従来のタッチパネルの第２の問題点を説明するための説明図
【符号の説明】
【００８３】
１１  入力装置
１２  液晶表示装置
１３  タッチパネル
１４  カラーフィルタ基板
１５  ＴＦＴ基板
１６  液晶層
２０  カラーフィルタ
２１  ブラックマスク
２３  マトリクス電極
３３  コントローラ
３４  信号発信部
【図１】
2010117972.tif 000003
【図２】
2010117972.tif 000004
【図３】
2010117972.tif 000005
【図４】
2010117972.tif 000006
【図５】
2010117972.tif 000007
【図６】
2010117972.tif 000008
【図７】
2010117972.tif 000009